(57)【要約】【課題】漏出のない安定した状態での液の移し替が可能であり、しかも移し替の際の取り扱いも容易で、更に、構造も極めて簡単で安価に製造できるパウチを提案する。【解決手段】容器本体２に筒状のスパウト３を設けて構成している。スパウト３は、一端を容器本体２外方に連通可能に且つ他端を容器本体２内に突出した状態で容器本体に連設された注出部に固定した筒状をなし、また、容器本体内に於いて薄肉破断部５を周設して切断可能に構成し、更に、内部の薄肉破断部５より内方位置に隔壁６を横設した。そして、スパウトを折り曲げ破断部５を切断することにより開封して使用する如く構成した。【選択図】図２
2005289466.tif 000002
【特許請求の範囲】
【請求項１】
容器本体２に筒状のスパウト３を設けてなり、前記スパウト３は、一端を前記容器本体２外方に連通可能に且つ他端を前記容器本体２内に突出した状態で前記容器本体２に連設された注出部12に固定した筒状をなすとともに、前記容器本体２内に於いて薄肉破断部５を周設して切断可能に構成し、且つ、内部の前記薄肉破断部５より容器の内方位置に隔壁６を横設したことを特徴とする薄肉容器。
【請求項２】
前記スパウト３の先端部を詰め替え対象容器８の口頸部９内に挿入可能に構成してなる請求項１記載の薄肉容器。
【請求項３】
前記スパウト３の固定部位の注出部12が、前記スパウト３の一端部を被覆してその一端開口を閉塞し、且つ、その一端開口上部を切り取り可能に構成して前記スパウト一端を外方に連通可能に構成してなる請求項１記載の薄肉容器。
【発明の詳細な説明】
【技術分野】
【０００１】
本発明は薄肉容器に関し、詳しくは、収納液の他の容器への移し替えを容易に行える薄肉容器に関する。
【背景技術】
【０００２】
薄肉容器として、複数のフィルムを融着することにより製袋し、注口部を一体に形成したものが知られており（特許文献１）、また、薄肉容器本体とは別体に設けたスパウトを熱溶着したものが知られている（特許文献２）。
【０００３】
前者の薄肉容器は例えば一対の側壁フィルムと二つ折りの底部フィルムとを融着一体化して形成し、上部コーナーに先端を閉塞した筒形態の注口部を一体に形成している。また、後者に於いてスパウトは、薄肉容器側壁部に融着した基部と、該基部から外方に向かって延び外周面にねじ山を有する注出筒と、注出筒の端面に熱溶着されるシール部材と、注出筒外周面のねじ山とねじ嵌合されるキャップと、該キャップの内面に設けられた注出筒端面に液密に当接するコンタクトリングとを備えている。
【０００４】
従来の薄肉容器のうち前者では、注口部を切断して注口を開口し、他の容器の口部に注口より収納液を注入する。また、後者では、キャップを蓋体を外して他の容器の口部に収納液を注入する。
【特許文献１】特開２００２−１７９０８４号公報
【特許文献２】特開２００２−１０４４４６号公報
【発明の開示】
【発明が解決しようとする課題】
【０００５】
薄肉容器は詰め替え用或いは使い捨て用を目的とするものが多く、その為安価に製造できることを要求され、そのフィルムはできるだけ薄いものが好ましく使用される。そのため内容物の充填時でも比較的保形性に乏しい場合が多く、詰め替え時に不安定な状態で液を漏らす場合がある。
【０００６】
本発明は上記した点に鑑みてなされたもので、漏出がない安定した状態での液の移し替が可能であり、しかも移し替の際の取り扱いも容易であり、更に、構造も極めて簡単で安価に製造できる薄肉容器を提案するものである。
【課題を解決するための手段】
【０００７】
第１の手段として、容器本体２に筒状のスパウト３を設けてなり、前記スパウト３は、一端を前記容器本体２外方に連通可能に且つ他端を前記容器本体２内に突出した状態で前記容器本体２に連結された注出部12に固定した筒状をなすとともに、前記容器本体２内に於いて薄肉破断部５を周設して切断可能に構成し、且つ、内部の前記薄肉破断部５より容器の内方位置に隔壁６を横設した。
【０００８】
第２の手段として、前記第１の手段に於いて、前記スパウト３の先端部を詰め替え対象容器８の口頸部９内に挿入可能に構成した。
【０００９】
第３の手段として、前記第１の手段に於いて、前記スパウト３の固定部位の注出部12が、前記スパウト３の一端部を被覆してその一端開口を閉塞し、且つ、その一端開口上部を切り取り可能に構成して前記スパウト一端を外方に連通可能に構成した。
【発明の効果】
【００１０】
本発明の薄肉容器は、隔壁６を有する筒状のスパウト３を容器本体２に連設された注出部12に固定したものであるため、その構造は極めて簡単で安価に製造できるものである。しかも使用に当たって、スパウト３を折り曲げて破断部５を破断することで使用できるため、その取り扱いも極めて便利であり、切断したスパウトの一部は容器本体２内に残存して廃棄できる利点もある。
【００１１】
更に、スパウト３の先端部を詰め替え対象容器８の口頸部９内に挿入可能に構成すれば、使用に当たってスパウト３の先端部を詰め替え対象容器８の口頸部９に嵌合させた状態で破断部５を切断することができるため切断が容易であり、そのままの状態で詰め替えが行えるため、全く液漏れの心配がなく詰め替えを行えるものである。
【００１２】
また、前記スパウト３固定部位の注出部12が、前記スパウト３の一端部を被覆してその一端開口を閉塞し、且つ、その一端開口上部を切り取り可能に構成して前記スパウト３の一端を外方に連通可能に構成したものにあっては、使用前にはスパウト３先端の開口部を保護しておくことができ、そこに埃等が付着するのを防止でき、詰め替え時に液中に埃等が混入することを確実に防止できるものである。
【発明を実施するための最良の形態】
【００１３】
以下、本発明の実施例の形態を図面を参照して説明する。
【００１４】
本発明の例として、容器本体２と、スパウト３とを備えたパウチ状容器を示す。
【００１５】
容器本体２は、複数のフィルムを所定の縁部で融着して製袋したもので、その形態は種々のものが採用でき、図１，２の実施形態では、矩形状の二枚のフィルムの周囲をヒートシール等の適宜溶着手段により溶着してシール部４を形成することにより内部に収納部Ａを画成して製袋している。この他図示しないが、二枚の側壁用フィルムと、一枚の底壁用フィルムを各周縁部を溶着することにより起立可能に製袋した所謂スタンディング薄肉容器の形態を採用することも可能である。
【００１６】
スパウト３は、合成樹脂等により形成されたもので、一端を前記容器本体２外方に連通可能に且つ他端を前記容器本体２内に突出した状態で前記容器本体２縁部のシール部４に形成された注出部12に外周を溶着固定した筒状をなしている。
【００１７】
また、このスパウト３は薄肉の破断部５を周設して容器本体２内での切断が可能に構成している。従って、薄肉の破断部５は容器本体２内に設ける必要があり、その位置は容器本体２内であれば特には限定されないが、切断のし易さを考慮すればシール部４のできるだけ近傍に設けると良い。
【００１８】
また、スパウト３は隔壁６を設けている。この隔壁６はスパウト３を介する容器本体２の内外の連通を遮断するためのものであり、使用時には取り除かれて容器本体２の内外が連通する如く構成している。従って、隔壁６は薄肉破断部５より容器の内方に横設する必要がある。尚、前記スパウト３は図示例の如く長手方向全体に亘って同径のものであっても、一部が異径をなすものであっても良く、例えば、薄肉破断部５を境に径が異なる構成としても良い。
【００１９】
この様な薄肉容器１を形成する方法として、例えば、図３に示す如く、下辺ａ，両側辺ｂ，ｂを融着したシール部４を備えた容器本体２の上端開口部に、スパウト３の前後所定位置を前後のフィルムの上辺所定位置に溶着等の適宜固着手段で固着した固着部７を設けてスパウト３を仮止めし、上端開口部より液を充填した後、容器本体２の上辺ｃを溶着して収納部Ａを密閉したシール部４を形成して薄肉容器１を形成する。
【００２０】
上記の如く構成した薄肉容器１を使用する場合に付いて説明する。通常はスパウト３を折り曲げて破断部５を切断しその内部を分離して容器本体２内外を連通させて使用することができる。また、図４に示す如く、詰め替え対象容器８の口頸部９内にスパウト３の先端部を挿入可能に構成した場合には、口頸部９内に先端部を挿入した後破断部５上方を折り曲げることにより破断部５を切断して容器本体２内外を連通させ、容器本体２内の液を詰め替え対象容器８に注入することができる。この際、切断分離されたスパウト３の一部は容器本体２内に残存し、容器本体２とともに廃棄することができる。
【００２１】
図５は他の実施形態を示すもので、スパウト３固定部位のシール部４に形成された注出部12が、前記スパウト３の一端部を被覆してその一端開口を閉塞し、且つ、その一端開口上部を切り取り可能に構成することにより外方に連通可能に構成した例を示す。スパウト３の上端部位置のシール部４両側にノッチ10を形成してその間のシール部を薄肉線11に形成しており、その上部を切り取り可能に設けている。
【００２２】
図６は更に他の実施形態を示すもので、この場合も同様にスパウト３上端開口を閉塞する如く構成しているが、上辺のシール部４全体を縦幅の広いシール部４として構成した例である。この場合も同様にノッチ10及び薄肉線11を設けている。尚、薄肉線は必ずしも設けなくても、フィルムを一軸延伸フィルムを使用する等により容易に破断できる如く構成しても良い。
【図面の簡単な説明】
【００２３】
【図１】本発明薄肉容器の斜視図である。（実施例１）
【図２】本発明薄肉容器の縦断面図である。（実施例１）
【図３】本発明薄肉容器の充填時の縦断面図である。（実施例１）
【図４】本発明薄肉容器の詰め替え時の説明図である。（実施例１）
【図５】本発明薄肉容器の要部縦断面図である。（実施例２）
【図６】本発明薄肉容器の要部縦断面図である。（実施例３）
【符号の説明】
【００２４】
２…容器本体，３…スパウト，４…シール部，５…薄肉破断部，６…隔壁，
８…詰め替え対象容器，９…口頸部
【図１】
2005289466.tif 000003
【図２】
2005289466.tif 000004
【図３】
2005289466.tif 000005
【図４】
2005289466.tif 000006
【図５】
2005289466.tif 000007
【図６】
2005289466.tif 000008